(57)【要約】【課題】  入力画像にフォーム画像を新たな合成方法によって合成することができる画像形成装置および画像形成プログラムを提供する。【解決手段】  ＭＦＰは、入力画像が複数である場合に複数のフォーム画像を受け付けたときにフォーム画像の１つずつを入力画像の１つずつに順番に合成する複数フォーム順番合成方法によって入力画像にフォーム画像を合成可能であり、複数フォーム順番合成方法は、入力画像が３つ以上である場合に３つ以上のフォーム画像を受け付けたときにフォーム画像の１つずつを入力画像の１つずつに順番に合成する方法であることを特徴とする。【選択図】  図７
2016192727.tif 000002
【特許請求の範囲】
【請求項１】
入力画像にフォーム画像を合成して出力画像を生成する画像合成手段と、
前記画像合成手段によって使用される前記フォーム画像を受け付けるフォーム画像受付手段とを備え、
前記画像合成手段は、前記入力画像が複数である場合に前記フォーム画像受付手段によって複数の前記フォーム画像が受け付けられたときに前記フォーム画像受付手段によって受け付けられた前記フォーム画像の１つずつを前記入力画像の１つずつに順番に合成する複数フォーム順番合成方法によって前記入力画像に前記フォーム画像を合成可能であり、
前記複数フォーム順番合成方法は、前記入力画像が３つ以上である場合に前記フォーム画像受付手段によって３つ以上の前記フォーム画像が受け付けられたときに前記フォーム画像受付手段によって受け付けられた前記フォーム画像の１つずつを前記入力画像の１つずつに順番に合成する方法であることを特徴とする画像形成装置。
【請求項２】
前記画像合成手段による前記入力画像への前記フォーム画像の合成方法を切り替える合成方法切替手段を備え、
前記合成方法切替手段は、前記複数フォーム順番合成方法を含む複数の前記合成方法の何れかに切り替え可能であることを特徴とする請求項１に記載の画像形成装置。
【請求項３】
前記フォーム画像受付手段は、前記入力画像と、前記フォーム画像とが読取デバイスによる一連の読み取り動作による読み取り画像として取得される場合に、前記一連の読み取り動作による複数の前記読み取り画像のそれぞれに対応するページのうち前記フォーム画像に対応する複数のページの指定を受け付けることによって、複数の前記フォーム画像を受け付けることを特徴とする請求項１または請求項２に記載の画像形成装置。
【請求項４】
前記フォーム画像受付手段は、前記一連の読み取り動作における先頭からのページ数の指定を受け付けることによって、前記一連の読み取り動作における先頭からの前記ページ数分の前記読み取り画像を複数の前記フォーム画像として受け付けることを特徴とする請求項３に記載の画像形成装置。
【請求項５】
前記合成方法切替手段は、前記入力画像が複数である場合に前記フォーム画像受付手段によって複数の前記フォーム画像が受け付けられたときに前記フォーム画像受付手段によって受け付けられた前記フォーム画像のうち一部の複数の前記フォーム画像の１つずつを前記入力画像の１つずつに順番に合成するとともに、前記フォーム画像受付手段によって受け付けられた前記フォーム画像のうち残部の前記フォーム画像の全てを前記入力画像の１つずつに合成する複数フォーム一部順番残部同時合成方法に切り替え可能であることを特徴とする請求項２に記載の画像形成装置。
【請求項６】
前記合成方法切替手段は、前記入力画像の数と、前記フォーム画像受付手段によって受け付けられた前記フォーム画像の数との関係に応じて前記合成方法を自動的に切り替えることを特徴とする請求項２または請求項５に記載の画像形成装置。
【請求項７】
入力画像にフォーム画像を合成して出力画像を生成する画像合成手段、および、
前記画像合成手段によって使用される前記フォーム画像を受け付けるフォーム画像受付手段として画像形成装置を機能させ、
前記画像合成手段は、前記入力画像が複数である場合に前記フォーム画像受付手段によって複数の前記フォーム画像が受け付けられたときに前記フォーム画像受付手段によって受け付けられた前記フォーム画像の１つずつを前記入力画像の１つずつに順番に合成する複数フォーム順番合成方法によって前記入力画像に前記フォーム画像を合成可能であり、
前記複数フォーム順番合成方法は、前記入力画像が３つ以上である場合に前記フォーム画像受付手段によって３つ以上の前記フォーム画像が受け付けられたときに前記フォーム画像受付手段によって受け付けられた前記フォーム画像の１つずつを前記入力画像の１つずつに順番に合成する方法であることを特徴とする画像形成プログラム。
【発明の詳細な説明】
【技術分野】
【０００１】
本発明は、入力画像にフォーム画像を合成して出力画像を生成する画像形成装置および画像形成プログラムに関する。
【背景技術】
【０００２】
従来、入力画像にフォーム画像を合成して出力画像を生成する画像形成装置が知られている（例えば、特許文献１、２参照。）。
【先行技術文献】
【特許文献】
【０００３】
【特許文献１】特開平１１−３１６６６８号公報
【特許文献２】特開２０００−０７９７３６号公報
【発明の概要】
【発明が解決しようとする課題】
【０００４】
しかしながら、従来の画像形成装置においては、入力画像およびフォーム画像が複数である場合にフォーム画像の１つずつを入力画像の１つずつに順番に合成することができないという問題がある。
【０００５】
なお、特許文献２に記載された画像形成装置は、片面原稿を両面コピーする場合に表面と、裏面とでフォーム画像を異ならせることができるが、４つ以上の片面原稿を両面コピーする場合であっても２つのフォーム画像を複数の記録媒体のそれぞれにおいて順番に合成するのみであり、３つ以上のフォーム画像の１つずつを複数の記録媒体に跨って順番に合成することはできない。
【０００６】
そこで、本発明は、入力画像にフォーム画像を新たな合成方法によって合成することができる画像形成装置および画像形成プログラムを提供することを目的とする。
【課題を解決するための手段】
【０００７】
本発明の画像形成装置は、入力画像にフォーム画像を合成して出力画像を生成する画像合成手段と、前記画像合成手段によって使用される前記フォーム画像を受け付けるフォーム画像受付手段とを備え、前記画像合成手段は、前記入力画像が複数である場合に前記フォーム画像受付手段によって複数の前記フォーム画像が受け付けられたときに前記フォーム画像受付手段によって受け付けられた前記フォーム画像の１つずつを前記入力画像の１つずつに順番に合成する複数フォーム順番合成方法によって前記入力画像に前記フォーム画像を合成可能であり、前記複数フォーム順番合成方法は、前記入力画像が３つ以上である場合に前記フォーム画像受付手段によって３つ以上の前記フォーム画像が受け付けられたときに前記フォーム画像受付手段によって受け付けられた前記フォーム画像の１つずつを前記入力画像の１つずつに順番に合成する方法であることを特徴とする。
【０００８】
この構成により、本発明の画像形成装置は、フォーム画像が２つの場合だけでなくフォーム画像が３つ以上である場合にも複数フォーム順番合成方法によってフォーム画像の１つずつを複数の入力画像の１つずつに順番に合成可能であるので、複数フォーム順番合成方法という新たな合成方法によって入力画像にフォーム画像を合成することができる。
【０００９】
また、本発明の画像形成装置は、前記画像合成手段による前記入力画像への前記フォーム画像の合成方法を切り替える合成方法切替手段を備え、前記合成方法切替手段は、前記複数フォーム順番合成方法を含む複数の前記合成方法の何れかに切り替え可能であっても良い。
【００１０】
この構成により、本発明の画像形成装置は、入力画像へのフォーム画像の合成方法を切り替え可能であるので、利便性を向上することができる。
【００１１】
また、本発明の画像形成装置において、前記フォーム画像受付手段は、前記入力画像と、前記フォーム画像とが読取デバイスによる一連の読み取り動作による読み取り画像として取得される場合に、前記一連の読み取り動作による複数の前記読み取り画像のそれぞれに対応するページのうち前記フォーム画像に対応する複数のページの指定を受け付けることによって、複数の前記フォーム画像を受け付けても良い。
【００１２】
この構成により、本発明の画像形成装置は、入力画像と、複数のフォーム画像とを読取デバイスによる一連の読み取り動作によって同時に受け付けることができるので、利便性を向上することができる。
【００１３】
また、本発明の画像形成装置において、前記フォーム画像受付手段は、前記一連の読み取り動作における先頭からのページ数の指定を受け付けることによって、前記一連の読み取り動作における先頭からの前記ページ数分の前記読み取り画像を複数の前記フォーム画像として受け付けても良い。
【００１４】
この構成により、本発明の画像形成装置は、読取デバイスによる一連の読み取り動作による複数の読み取り画像のそれぞれに対応するページのうちフォーム画像に対応する複数のページの指定を、ページ数の指定という簡単な指定方法によって利用者に実行させるので、利便性を向上することができる。
【００１５】
また、本発明の画像形成装置において、前記合成方法切替手段は、前記入力画像が複数である場合に前記フォーム画像受付手段によって複数の前記フォーム画像が受け付けられたときに前記フォーム画像受付手段によって受け付けられた前記フォーム画像のうち一部の複数の前記フォーム画像の１つずつを前記入力画像の１つずつに順番に合成するとともに、前記フォーム画像受付手段によって受け付けられた前記フォーム画像のうち残部の前記フォーム画像の全てを前記入力画像の１つずつに合成する複数フォーム一部順番残部同時合成方法に切り替え可能であっても良い。
【００１６】
この構成により、本発明の画像形成装置は、複数フォーム一部順番残部同時合成方法という新たな合成方法によって入力画像にフォーム画像を合成することができる。
【００１７】
また、本発明の画像形成装置において、前記合成方法切替手段は、前記入力画像の数と、前記フォーム画像受付手段によって受け付けられた前記フォーム画像の数との関係に応じて前記合成方法を自動的に切り替えても良い。
【００１８】
この構成により、本発明の画像形成装置は、入力画像へのフォーム画像の合成方法を自動的に切り替えるので、利便性を向上することができる。
【００１９】
本発明の画像形成プログラムは、入力画像にフォーム画像を合成して出力画像を生成する画像合成手段、および、前記画像合成手段によって使用される前記フォーム画像を受け付けるフォーム画像受付手段として画像形成装置を機能させ、前記画像合成手段は、前記入力画像が複数である場合に前記フォーム画像受付手段によって複数の前記フォーム画像が受け付けられたときに前記フォーム画像受付手段によって受け付けられた前記フォーム画像の１つずつを前記入力画像の１つずつに順番に合成する複数フォーム順番合成方法によって前記入力画像に前記フォーム画像を合成可能であり、前記複数フォーム順番合成方法は、前記入力画像が３つ以上である場合に前記フォーム画像受付手段によって３つ以上の前記フォーム画像が受け付けられたときに前記フォーム画像受付手段によって受け付けられた前記フォーム画像の１つずつを前記入力画像の１つずつに順番に合成する方法であることを特徴とする。
【００２０】
この構成により、本発明の画像形成プログラムは、フォーム画像が２つの場合だけでなくフォーム画像が３つ以上である場合にも複数フォーム順番合成方法によってフォーム画像の１つずつを複数の入力画像の１つずつに順番に合成可能であるので、複数フォーム順番合成方法という新たな合成方法によって入力画像にフォーム画像を合成することができる。
【発明の効果】
【００２１】
本発明の画像形成装置および画像形成プログラムは、入力画像にフォーム画像を新たな合成方法によって合成することができる。
【図面の簡単な説明】
【００２２】
【図１】本発明の一実施の形態に係るＭＦＰのブロック図である。
【図２】スキャナーによって原稿から読み取られた入力画像にフォーム画像を合成した出力画像をプリンターによって印刷する場合の図１に示すＭＦＰの動作のフローチャートである。
【図３】図１に示す表示部に表示させられるフォーム画像指定画面の一例を示す図である。
【図４】フォーム画像が１枚である場合の図１に示すＭＦＰによる入力画像へのフォーム画像の合成の一例を示す図である。
【図５】図１に示す表示部に表示させられる合成方法指定画面の一例を示す図である。
【図６】フォーム画像が複数枚である場合に複数フォーム同時合成方法が使用されるときの図１に示すＭＦＰによる入力画像へのフォーム画像の合成の一例を示す図である。
【図７】フォーム画像が複数枚である場合に複数フォーム順番合成方法が使用されるときの図１に示すＭＦＰによる入力画像へのフォーム画像の合成の一例を示す図である。
【図８】フォーム画像が複数枚である場合に複数フォーム一部順番残部同時合成方法が使用されるときの図１に示すＭＦＰによる入力画像へのフォーム画像の合成の一例を示す図である。
【図９】入力画像およびフォーム画像をスキャナーによる一連の読み取り動作によって同時に受け付けない場合に図１に示す表示部に表示される画面の一例を示す図である。
【発明を実施するための形態】
【００２３】
以下、本発明の一実施の形態について、図面を用いて説明する。
【００２４】
まず、本実施の形態に係る画像形成装置としてのＭＦＰ（Ｍｕｌｔｉｆｕｎｃｔｉｏｎ  Ｐｅｒｉｐｈｅｒａｌ）の構成について説明する。
【００２５】
図１は、本実施の形態に係るＭＦＰ１０のブロック図である。
【００２６】
図１に示すように、ＭＦＰ１０は、種々の操作が入力されるボタンなどの入力デバイスである操作部１１と、種々の情報を表示するＬＣＤ（Ｌｉｑｕｉｄ  Ｃｒｙｓｔａｌ  Ｄｉｓｐｌａｙ）などの表示デバイスである表示部１２と、原稿から画像を読み取る読取デバイスであるスキャナー１３と、用紙などの記録媒体に印刷を実行する印刷デバイスであるプリンター１４と、図示していない外部のファクシミリ装置と公衆電話回線などの通信回線経由でファックス通信を行うファックスデバイスであるファックス通信部１５と、ＬＡＮ（Ｌｏｃａｌ  Ａｒｅａ  Ｎｅｔｗｏｒｋ）、インターネットなどのネットワーク経由で外部の装置と通信を行うネットワーク通信デバイスであるネットワーク通信部１６と、各種の情報を記憶するＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＨＤＤ（Ｈａｒｄ  Ｄｉｓｋ  Ｄｒｉｖｅ）などの不揮発性の記憶デバイスである記憶部１７と、ＭＦＰ１０全体を制御する制御部１８とを備えている。
【００２７】
記憶部１７は、ＭＦＰ１０を制御するための画像形成プログラム１７ａを記憶している。画像形成プログラム１７ａは、ＭＦＰ１０の製造段階でＭＦＰ１０にインストールされていても良いし、ＳＤカード、ＵＳＢ（Ｕｎｉｖｅｒｓａｌ  Ｓｅｒｉａｌ  Ｂｕｓ）メモリーなどの外部記憶媒体からＭＦＰ１０に追加でインストールされても良いし、ネットワーク上からＭＦＰ１０に追加でインストールされても良い。
【００２８】
制御部１８は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部１７に記憶されているプログラムを実行する。
【００２９】
制御部１８は、記憶部１７に記憶されている画像形成プログラム１７ａを実行することによって、入力画像にフォーム画像を合成して出力画像を生成する画像合成手段１８ａ、画像合成手段１８ａによって使用されるフォーム画像を受け付けるフォーム画像受付手段１８ｂ、および、画像合成手段１８ａによる入力画像へのフォーム画像の合成方法を切り替える合成方法切替手段１８ｃとして機能する。
【００３０】
次に、ＭＦＰ１０の動作について説明する。
【００３１】
スキャナー１３によって原稿から読み取られた入力画像にフォーム画像を合成した出力画像をプリンター１４によって印刷する指示が操作部１１を介して入力されると、ＭＦＰ１０は、図２に示す動作を実行する。
【００３２】
図２は、スキャナー１３によって原稿から読み取られた入力画像にフォーム画像を合成した出力画像をプリンター１４によって印刷する場合のＭＦＰ１０の動作のフローチャートである。
【００３３】
図２に示すように、フォーム画像受付手段１８ｂは、スキャナー１３による一連の読み取り動作による複数の読み取り画像のそれぞれに対応するページのうちフォーム画像に対応するページの指定として、スキャナー１３による一連の読み取り動作における先頭からのページ数の指定を、操作部１１を介して受け付ける（Ｓ１０１）。
【００３４】
図３は、Ｓ１０１の処理においてフォーム画像受付手段１８ｂによって表示部１２に表示させられるフォーム画像指定画面２０の一例を示す図である。
【００３５】
図３に示すように、フォーム画像指定画面２０は、フォーム画像のページ数が入力されるスピンボックス２１と、スピンボックス２１に入力されたページ数をフォーム画像受付手段１８ｂに受け付けさせるＯＫボタン２２とを含んでいる。
【００３６】
図２に示すように、フォーム画像受付手段１８ｂは、Ｓ１０１の処理の後、Ｓ１０１において受け付けたページ数が１であるか否かを判断する（Ｓ１０２）。
【００３７】
フォーム画像受付手段１８ｂは、受け付けたページ数が１であるとＳ１０２において判断すると、スキャナー１３による原稿からの画像の読み取りを開始する（Ｓ１０３）。
【００３８】
次いで、フォーム画像受付手段１８ｂは、Ｓ１０３において開始したスキャナー１３による一連の読み取り動作による複数の読み取り画像の１ページ目をフォーム画像として受け付ける（Ｓ１０４）。
【００３９】
次いで、画像合成手段１８ａは、Ｓ１０４において受け付けられたフォーム画像を入力画像の１つずつに合成することを開始する（Ｓ１０５）。ここで、入力画像は、Ｓ１０３において開始したスキャナー１３による一連の読み取り動作による複数の読み取り画像の２ページ目以降である。すなわち、画像合成手段１８ａは、読み取り画像の２ページ目が入力画像の１つ目であり、読み取り画像の３ページ目が入力画像の２つ目であるというように、順番に入力画像を受け付けて、受け付けた入力画像にフォーム画像を合成して出力画像を生成する。
【００４０】
次いで、画像合成手段１８ａは、Ｓ１０５において開始した合成によって生成した出力画像のプリンター１４による印刷を開始する（Ｓ１０６）。画像合成手段１８ａは、生成した全ての出力画像をプリンター１４によって印刷することが終了すると、図２に示す動作を終了する。
【００４１】
図４は、フォーム画像が１枚である場合のＭＦＰ１０による入力画像へのフォーム画像の合成の一例を示す図である。
【００４２】
図４において、Ｐ１、Ｐ２、Ｐ３、・・・は、それぞれ、１ページ、２ページ、３ページ、・・・という意味である。すなわち、読み取り画像の１ページ目は、フォーム画像の１ページ目に対応している。また、読み取り画像の２ページ目、３ページ目、・・・は、それぞれ、入力画像の１ページ目、２ページ目、・・・に対応している。画像合成手段１８ａは、図４（ａ）に示すようにフォーム画像が１枚である場合、図４（ｂ）に示すように入力画像の１つずつにフォーム画像を合成する。
【００４３】
合成方法切替手段１８ｃは、受け付けたページ数が１ではない、すなわち、２以上であるとＳ１０２において判断されると、入力画像へのフォーム画像の合成方法を、操作部１１を介して受け付ける（Ｓ１０７）。合成方法切替手段１８ｃは、Ｓ１０７において合成方法を受け付けると、画像合成手段１８ａによって使用される合成方法を、Ｓ１０７において受け付けた合成方向に切り替える。
【００４４】
図５は、Ｓ１０７の処理において合成方法切替手段１８ｃによって表示部１２に表示させられる合成方法指定画面３０の一例を示す図である。
【００４５】
図５に示すように、合成方法指定画面３０は、後述する複数フォーム同時合成方法および複数フォーム順番合成方法の何れか一方が入力画像へのフォーム画像の合成方法として選択されるための複数のラジオボタン３１と、複数のラジオボタン３１によって選択された合成方法を合成方法切替手段１８ｃに受け付けさせるＯＫボタン３２とを含んでいる。
【００４６】
図２に示すように、フォーム画像受付手段１８ｂは、Ｓ１０７の処理の後、スキャナー１３による原稿からの画像の読み取りを開始する（Ｓ１０８）。
【００４７】
次いで、フォーム画像受付手段１８ｂは、Ｓ１０８において開始したスキャナー１３による一連の読み取り動作による複数の読み取り画像のうち、先頭からＳ１０１において受け付けたページ数分の読み取り画像のそれぞれを、フォーム画像として受け付ける（Ｓ１０９）。すなわち、フォーム画像受付手段１８ｂは、読み取り画像の１ページ目がフォーム画像の１ページ目であり、読み取り画像の２ページ目がフォーム画像の２つ目であるというように、順番に複数のフォーム画像を受け付ける。
【００４８】
次いで、画像合成手段１８ａは、Ｓ１０９において受け付けられたフォーム画像を入力画像の１つずつに、Ｓ１０７において受け付けられた合成方法で合成することを開始する（Ｓ１１０）。ここで、入力画像は、Ｓ１０８において開始したスキャナー１３による一連の読み取り動作による複数の読み取り画像のうち、フォーム画像より後のページの読み取り画像である。例えば、フォーム画像が５ページ分である場合には、画像合成手段１８ａは、読み取り画像の６ページ目が入力画像の１つ目であり、読み取り画像の７ページ目が入力画像の２つ目であるというように、順番に入力画像を受け付けて、受け付けた入力画像にフォーム画像を合成して出力画像を生成する。
【００４９】
次いで、画像合成手段１８ａは、Ｓ１１０において開始した合成によって生成した出力画像のプリンター１４による印刷を開始する（Ｓ１０６）。画像合成手段１８ａは、生成した全ての出力画像をプリンター１４によって印刷することが終了すると、図２に示す動作を終了する。
【００５０】
図６は、フォーム画像が複数枚である場合に複数フォーム同時合成方法が使用されるときのＭＦＰ１０による入力画像へのフォーム画像の合成の一例を示す図である。
【００５１】
図６において、Ｐ１、Ｐ２、Ｐ３、・・・は、それぞれ、１ページ、２ページ、３ページ、・・・という意味である。すなわち、読み取り画像の１ページ目、２ページ目、・・・、５ページ目は、それぞれ、フォーム画像の１ページ目、２ページ目、・・・、５ページ目に対応している。また、読み取り画像の６ページ目、７ページ目、・・・は、それぞれ、入力画像の１ページ目、２ページ目、・・・に対応している。複数フォーム同時合成方法は、入力画像およびフォーム画像が複数である場合にフォーム画像の全てを入力画像の１つずつに合成する方法である。したがって、画像合成手段１８ａは、複数フォーム同時合成方法を使用する場合に、例えば図６（ａ）に示すようにフォーム画像が５枚であるとき、図６（ｂ）に示すようにフォーム画像の全てを入力画像の１つずつに合成する。
【００５２】
図７は、フォーム画像が複数枚である場合に複数フォーム順番合成方法が使用されるときのＭＦＰ１０による入力画像へのフォーム画像の合成の一例を示す図である。
【００５３】
図７において、Ｐ１、Ｐ２、Ｐ３、・・・は、それぞれ、１ページ、２ページ、３ページ、・・・という意味である。すなわち、読み取り画像の１ページ目、２ページ目、・・・、５ページ目は、それぞれ、フォーム画像の１ページ目、２ページ目、・・・、５ページ目に対応している。また、読み取り画像の６ページ目、７ページ目、・・・は、それぞれ、入力画像の１ページ目、２ページ目、・・・に対応している。複数フォーム順番合成方法は、入力画像およびフォーム画像が複数である場合にフォーム画像の１つずつを入力画像の１つずつに順番に合成する方法である。したがって、画像合成手段１８ａは、複数フォーム順番合成方法を使用する場合に、例えば図７（ａ）に示すようにフォーム画像が５枚であるとき、図７（ｂ）に示すようにフォーム画像の１つずつを入力画像の１つずつに順番に合成する。
【００５４】
以上に説明したように、ＭＦＰ１０は、フォーム画像が２つの場合だけでなくフォーム画像が３つ以上である場合にも、複数フォーム順番合成方法によって図７に示すようにフォーム画像の１つずつを複数の入力画像の１つずつに順番に合成可能であるので、複数フォーム順番合成方法という新たな合成方法によって入力画像にフォーム画像を合成することができる。
【００５５】
ＭＦＰ１０は、入力画像へのフォーム画像の合成方法として、複数フォーム同時合成方法と、複数フォーム順番合成方法との何れかに切り替え可能であるので、利便性を向上することができる。
【００５６】
なお、ＭＦＰ１０は、複数フォーム順番合成方法を含む複数の合成方法の何れかに切り替え可能であれば、複数フォーム同時合成方法に代えて、または、複数フォーム同時合成方法に加えて、他の合成方法を採用しても良い。例えば、合成方法切替手段１８ｃは、入力画像およびフォーム画像が複数である場合に、Ｓ１０９において受け付けられるフォーム画像のうち一部の複数のフォーム画像の１つずつを入力画像の１つずつに順番に合成するとともに、Ｓ１０９において受け付けられるフォーム画像のうち残部のフォーム画像の全てを入力画像の１つずつに合成する複数フォーム一部順番残部同時合成方法に切り替え可能であっても良い。この構成により、ＭＦＰ１０は、複数フォーム一部順番残部同時合成方法という新たな合成方法によって入力画像にフォーム画像を合成することができる。
【００５７】
図８は、フォーム画像が複数枚である場合に複数フォーム一部順番残部同時合成方法が使用されるときのＭＦＰ１０による入力画像へのフォーム画像の合成の一例を示す図である。
【００５８】
図８において、Ｐ１、Ｐ２、Ｐ３、・・・は、それぞれ、１ページ、２ページ、３ページ、・・・という意味である。すなわち、読み取り画像の１ページ目、２ページ目、・・・、５ページ目は、それぞれ、フォーム画像の１ページ目、２ページ目、・・・、５ページ目に対応している。また、読み取り画像の６ページ目、７ページ目、・・・は、それぞれ、入力画像の１ページ目、２ページ目、・・・に対応している。画像合成手段１８ａは、複数フォーム一部順番残部同時合成方法を使用する場合に、例えば図８（ａ）に示すようにフォーム画像が５枚であるとき、図８（ｂ）に示すように、先頭の３つのフォーム画像の１つずつを入力画像の１つずつに順番に合成するとともに、先頭から４番目および５番目のフォーム画像の全てを入力画像の１つずつに合成する。なお、画像合成手段１８ａは、複数フォーム一部順番残部同時合成方法を使用する場合に、フォーム画像のうち何れを入力画像の１つずつに順番に合成するかということを事前に例えば操作部１１を介して受け付けることができる。
【００５９】
なお、画像合成手段１８ａは、複数フォーム順番合成方法においてフォーム画像の１つずつを入力画像の１つずつに順番に合成する場合、フォーム画像の数が入力画像の数より少ないとき、１回ずつ入力画像に合成した後の入力画像へのフォーム画像の合成方法として任意の方法を採用することができる。例えば、画像合成手段１８ａは、フォーム画像の１つずつを１回ずつ入力画像に合成した後、後続の入力画像の１つずつにも同様に順番に繰り返し合成するという方法を採用しても良い。
【００６０】
また、画像合成手段１８ａは、複数フォーム順番合成方法においてフォーム画像の１つずつを入力画像の１つずつに順番に合成する場合、フォーム画像の数が入力画像の数より多いとき、複数のフォーム画像のうち先頭から入力画像の数と等しい数分のフォーム画像のみ、１つずつを入力画像の１つずつに順番に合成する。
【００６１】
合成方法切替手段１８ｃは、本実施の形態において、入力画像へのフォーム画像の合成方法を操作部１１を介して受け付ける。しかしながら、合成方法切替手段１８ｃは、入力画像の数と、Ｓ１０９において受け付けられたフォーム画像の数との関係に応じて合成方法を自動的に切り替えても良い。例えば、合成方法切替手段１８ｃは、入力画像の数より、Ｓ１０９において受け付けられたフォーム画像の数が少ない場合に、入力画像へのフォーム画像の合成方法を複数フォーム同時合成方法に切り替えても良い。この構成により、ＭＦＰ１０は、入力画像へのフォーム画像の合成方法を自動的に切り替えるので、利便性を向上することができる。
【００６２】
なお、ＭＦＰ１０は、フォーム画像が複数である場合に、複数フォーム順番合成方法以外の合成方法に切り替わることができずに、必ず複数フォーム順番合成方法が使用されても良い。
【００６３】
フォーム画像受付手段１８ｂは、本実施の形態において、スキャナー１３による一連の読み取り動作における先頭からのページ数の指定を受け付ける（Ｓ１０１）ことによって、スキャナー１３による一連の読み取り動作における先頭からのページ数分の読み取り画像を複数のフォーム画像として受け付ける（Ｓ１０９）。この構成により、ＭＦＰ１０は、スキャナー１３による一連の読み取り動作による複数の読み取り画像のそれぞれに対応するページのうちフォーム画像に対応する複数のページの指定を、ページ数の指定という簡単な指定方法によって利用者に実行させるので、利便性を向上することができる。
【００６４】
なお、フォーム画像受付手段１８ｂは、スキャナー１３による一連の読み取り動作による読み取り画像の何ページをフォーム画像として受け付けるかを操作部１１を介して具体的に指定されても良い。この場合、フォーム画像は、スキャナー１３による一連の読み取り動作における先頭側の読み取り画像でなくても良い。
【００６５】
フォーム画像受付手段１８ｂは、本実施の形態において、スキャナー１３による一連の読み取り動作による複数の読み取り画像のそれぞれに対応するページのうちフォーム画像に対応する複数のページの指定を受け付けることによって、複数のフォーム画像を受け付ける（Ｓ１０１およびＳ１０９）。この構成により、ＭＦＰ１０は、入力画像と、複数のフォーム画像とをスキャナー１３による一連の読み取り動作によって同時に受け付けることができるので、利便性を向上することができる。
【００６６】
なお、ＭＦＰ１０は、入力画像およびフォーム画像をスキャナー１３による一連の読み取り動作によって同時に受け付けなくても良い。例えば、ＭＦＰ１０は、図９（ａ）に示す画面を表示部１２に表示させて利用者にフォーム画像をスキャナー１３によって読み取らせた後、図９（ｂ）に示す画面を表示部１２に表示させて利用者に入力画像をスキャナー１３によって読み取らせても良い。図９において、ボタン４１は、スキャナー１３による画像の読み取りを開始するためのボタンである。
【００６７】
ＭＦＰ１０は、スキャナー１３によって読み取られたフォーム画像以外のフォーム画像を使用しても良い。例えば、ＭＦＰ１０は、ネットワーク通信部１６を介して外部から入力されたフォーム画像を使用しても良いし、事前に記憶部１７に記憶させておいたフォーム画像を使用しても良い。
【００６８】
同様に、ＭＦＰ１０は、スキャナー１３によって読み取られた入力画像以外の入力画像を使用しても良い。例えば、ＭＦＰ１０は、ネットワーク通信部１６を介して外部から入力された入力画像を使用しても良いし、事前に記憶部１７に記憶させておいた入力画像を使用しても良い。
【００６９】
本発明の画像形成装置は、本実施の形態においてＭＦＰであるが、入力画像にフォーム画像を合成して出力画像を生成することが可能な画像形成装置であれば、プリンター専用機、コピー専用機など、ＭＦＰ以外の画像形成装置でも良い。
【符号の説明】
【００７０】
１０  ＭＦＰ（画像形成装置）
１３  スキャナー（読取デバイス）
１７ａ  画像形成プログラム
１８ａ  画像合成手段
１８ｂ  フォーム画像受付手段
１８ｃ  合成方法切替手段
【図１】
2016192727.tif 000003
【図２】
2016192727.tif 000004
【図３】
2016192727.tif 000005
【図４】
2016192727.tif 000006
【図５】
2016192727.tif 000007
【図６】
2016192727.tif 000008
【図７】
2016192727.tif 000009
【図８】
2016192727.tif 000010
【図９】
2016192727.tif 000011